(57)【特許請求の範囲】
【請求項１】
ＡＴＭネットワーク上の第１のＡＴＭスイッチに収容された第１の端末群に属する第１の端末と、前記ネットワーク上の第２のＡＴＭスイッチに収容された第２の端末群に属する第２の端末とを結ぶ通信のための接続を、局間パスを予約してから実施するＡＴＭ交換機システムにおいて、
前記第１のＡＴＭスイッチと、前記第２のＡＴＭスイッチは、局間パス予約番号を管理するための局間パス予約番号管理テーブルと、
局間パス予約番号に対応したエントリーに局間パス予約情報が格納される局間パス予約管理テーブルと、
前記第１の端末を起点とする優先処理すべき所定の業務に基づく発呼要求があった際に、前記局間パス予約番号管理テーブルを前記発呼要求の内容を使用して検索し、前記局間パス予約番号管理テーブルから空き状態にある局間パス予約番号を取り出す局間パス予約番号ハント手段と、
前記局間パス予約管理テーブル上の前記局間パス予約番号ハント手段により取り出された局間パス予約番号に対応するエントリーに、前記発呼要求の内容に含まれる局間パス予約情報を格納することで局間パスを予約する局間パス予約手段と、
前記局間パス予約手段の実施後に、前記発呼要求の内容に含まれる局間パス予約情報に基づいて前記第１の端末と前記第２の端末とを結ぶ通信経路の確保を実施すると共に、前記第２の端末に対して前記局間パス予約番号ハント手段により取り出された局間パス予約番号を直接又は間接的に引き渡す第１の局間パス接続手段を有し、
前記第１のＡＴＭスイッチと、前記第２のＡＴＭスイッチは、
前記第２の端末を起点とする優先処理すべき所定の業務に基づく発呼要求があった際に、該発呼要求に含まれる局間パス予約番号を使用して前記局間パス予約手段により予約された前記局間パス予約情報を読み出し、前記局間パス予約番号に対応する局間パスが現時点において使用中であるか否かを確認する予約局間パスの状態確認手段と、
前記予約局間パスの状態確認手段により、前記局間パス予約番号に対応する局間パスが現時点において使用中であることが確認された場合には、該局間パスを切断する切断処理手段と、
前記予約局間パスの状態確認手段及び必要に応じた上記切断処理手段の実施後に、前記発呼要求の内容に含まれる局間パス予約情報に基づいて前記第１の端末と前記第２の端末とを結ぶ通信経路の確保を実施すると共に、前記第１の端末に対して前記発呼要求に含まれる局間パス予約番号を直接又は間接的に引き渡す第２の局間パス接続手段を備えること、を特徴とするＡＴＭ交換機システム。
【請求項２】
前記第１のＡＴＭスイッチと、前記第２のＡＴＭスイッチは、
前記第１又は第２の端末を起点とする優先処理を必要としない一般業務に基づく発呼要求があった際に、局間パス接続帯域に空きが有るか否かを判定する帯域判定手段と、
前記帯域判定手段により局間パス接続帯域に空きが有ると判定された場合に、前記発呼要求に対応した通常の局間接続を実施する第３の局間パス接続手段と、
前記帯域判定手段により局間パス接続帯域に空きが無いと判定された場合に、前記局間パス予約管理テーブルを検索し、予約されてはいるが未使用の状態にある予約局間パスの有無を確認する予約局間パス検索手段を有すること、
を特徴とする請求項１に記載のＡＴＭ交換機システム。
【請求項３】
前記局間パス予約管理テーブル内のエントリーに格納される局間パス予約情報には、少なくとも、
（１）仮想パス識別子、
（２）仮想チャネル識別子、
（３）予約帯域情報、
（４）予約接続で使用中かを識別するためのフラグ
が含められること、
を特徴とする請求項１または２記載のＡＴＭ交換機システム。
【請求項４】
ＡＴＭネットワーク上の第１のＡＴＭスイッチに収容された第１の端末群に属する第１の端末と、前記ネットワーク上の第２のＡＴＭスイッチに収容された第２の端末群に属する第２の端末とを結ぶ通信のための接続を、局間パスを予約してから実施するコンピュータ読み取り可能なプログラムを記録した記録媒体において、
前記第１のＡＴＭスイッチと、前記第２のＡＴＭスイッチの処理に属し、前記第１の端末を起点とする優先処理すべき所定の業務に基づく発呼要求があった際に実行される、局間パス予約番号を管理するための局間パス予約番号管理テーブルを前記発呼要求の内容を使用して検索し、前記局間パス予約番号管理テーブルから空き状態にある局間パス予約番号を取り出す局間パス予約番号ハントステップと、
局間パス予約管理テーブル上の前記局間パス予約番号ハントステップにより取り出された局間パス予約番号に対応するエントリーに、前記発呼要求の内容に含まれる局間パス予約情報を格納することで局間パスを予約する局間パス予約ステップと、
前記局間パス予約ステップの実施後に、前記発呼要求の内容に含まれる局間パス予約情報に基づいて前記第１の端末と前記第２の端末とを結ぶ通信経路の確保を実施すると共に、前記第２の端末に対して前記局間パス予約番号ハントステップにより取り出された局間パス予約番号を直接又は間接的に引き渡す第１の局間パス接続ステップと、
前記第２の端末を起点とする優先処理すべき所定の業務に基づく発呼要求があった際に、該発呼要求に含まれる局間パス予約番号を使用して前記局間パス予約ステップにより予約された前記局間パス予約情報を読み出し、前記局間パス予約番号に対応する局間パスが現時点において使用中であるか否かを確認する予約局間パスの状態確認ステップと、
前記予約局間パスの状態確認ステップにより、前記局間パス予約番号に対応する局間パスが現時点において使用中であることが確認された場合には、該局間パスを切断する切断処理ステップと、
前記予約局間パスの状態確認ステップ及び必要に応じて実行される上記切断処理ステップの実行後に、前記発呼要求の内容に含まれる局間パス予約情報に基づいて前記第１の端末と前記第２の端末とを結ぶ通信経路の確保を実施すると共に、前記第１の端末に対して前記発呼要求に含まれる局間パス予約番号を直接又は間接的に引き渡す第２の局間パス接続ステップを実行するプログラムを記録したこと、を特徴とするコンピュータ読み取り可能なプログラムを記録した記録媒体。
【請求項５】
前記第１又は第２の端末を起点とする優先処理を必要としない一般業務に基づく発呼要求があった際に、局間パス接続帯域に空きが有るか否かを判定する帯域判定ステップと、
前記帯域判定ステップにより局間パス接続帯域に空きが有ると判定された場合に、前記発呼要求に対応した通常の局間接続を実施する第３の局間パス接続ステップと、
前記帯域判定ステップにより局間パス接続帯域に空きが無いと判定された場合に、前記局間パス予約管理テーブルを検索し、予約されてはいるが未使用の状態にある予約局間パスの有無を確認する予約局間パス検索ステップを有すること、を特徴とする請求項４に記載のコンピュータ読み取り可能なプログラムを記録した記録媒体。
【発明の詳細な説明】
【０００１】
【発明の属する技術分野】
本発明はＡＴＭ（Asynchronous Transfer Mode：非同期転送モード）交換機システムに関し、特に、優先度の高い業務に関する通信に際して発端末と着端末とを結ぶ局間パスを優先的に予約させる局間パス予約接続方式を有するＡＴＭ交換機システムに関する。
【０００２】
【従来の技術】
従来、ＡＴＭネットワークにおいて、発端末と着端末とを結ぶ局間パスを優先的に確保する手段の一つとしては、専用線を用いる方式があったが、この専用線の帯域は固定的に定められていた。この点を改善するものとして、ＡＴＭネットワーク内のいずれかのノード装置（交換機）に帯域を管理する機能を持たせ、使用するパスの帯域を該帯域の設定時刻を指定してパス単位に予約しておく方式が特開平７−１５４３９２号公報に開示されている。
【０００３】
また、発端末と着端末とを結ぶ局間パスを優先的に確保する他の手段として、呼設定時に網と端末との間で転送レートについての契約をしないトラヒッククラスすなわちBest Effort Control 下のトラヒッククラスに属するコネクションの設定時に、ＡＴＭネットワーク内のいずれかのノード装置に、上記コネクションの識別子に対応して発側端末から申告されたパケットに関する処理の優先度を示す情報を記憶しておき、上記コネクションの処理過程で輻輳が発生した時、上記ノード装置が、上記輻輳の状態と上記優先度との関係によって決まる所定の廃棄条件に従って、上記特定トラヒッククラスに属する各パケットについて、これを廃棄すべきか否かを決定する方式が、特開平９−２０５４４１号公報に開示されている。
【０００４】
【発明が解決しようとする課題】
ところで、従来のＡＴＭ交換機システムの問題点は、教育サービス等の、局間パスの確保を優先する必要があり、かつ該局間パスの確保と接続を呼発生処理の実時間内で確実に済ませる必要がある業務に対する考慮がなされていないことにあった。そのため、教育サービスを例に取れば、受講者が講演者に対してポイント−ポイント接続形態の局間パスを接続しょうとする場合に、受講者と講演者間の局間パスが確保できない場合が生じることである。
【０００５】
上記の特開平７−１５４３９２号公報に開示されている方式を例に取れば、該方式は、呼発生時点のパスの帯域を確保するための方式ではあるが、パスそのものが確保できない場合への対処がなされていない。
【０００６】
なお、上記の特開平９−２０５４４１号公報を例に取れば、上記いずれかのノード装置における優先処理は発呼に際して常に実行されるものであり、従って、上記特定トラヒッククラスに属する各パケットは、必ず上記優先処理を受けることになる。
【０００７】
本発明は、以上のような従来のＡＴＭ交換機システムにおける問題点に鑑みてなされたものであり、その第１の目的は、教育サービス等の優先度の高い業務の実施に際し、送信者側端末と受信者側端末間をポイント−ポイントで結ぶ局間パスを予約しておくことにより、上記業務における必要時点での局間パスの確保を確実に実施することができるＡＴＭ交換機システムを提供することにある。
【０００８】
本発明の第２の目的は、教育サービス等の優先度が高い業務とは限らない一般の他業務の実施に際して、上記予約された局間パスが未使用であれば、該一般の他業務の通信用に上記予約されている局間パスの使用を一応は許すことにある。
【０００９】
本発明の第３の目的は、教育サービス等の優先度が高い業務が実施されない時には、優先度が高くない一般の他業務の実施に対して影響を与えないＡＴＭ交換機システムを提供することにある。
【００１０】
【課題を解決するための手段】
上記の課題を解決するために、この発明の第１の観点に係るＡＴＭ交換機システムは、ＡＴＭネットワーク上の第１のＡＴＭスイッチに収容された第１の端末群に属する第１の端末と、前記ネットワーク上の第２のＡＴＭスイッチに収容された第２の端末群に属する第２の端末とを結ぶ通信のための接続を、局間パスを予約してから実施するＡＴＭ交換機システムにおいて、前記第１のＡＴＭスイッチと、前記第２のＡＴＭスイッチは、局間パス予約番号を管理するための局間パス予約番号管理テーブルと、局間パス予約番号に対応したエントリーに局間パス予約情報が格納される局間パス予約管理テーブルと、前記第１の端末を起点とする優先処理すべき所定の業務に基づく発呼要求があった際に、前記局間パス予約番号管理テーブルを前記発呼要求の内容を使用して検索し、前記局間パス予約番号管理テーブルから空き状態にある局間パス予約番号を取り出す局間パス予約番号ハント手段と、前記局間パス予約管理テーブル上の前記局間パス予約番号ハント手段により取り出された局間パス予約番号に対応するエントリーに、前記発呼要求の内容に含まれる局間パス予約情報を格納することで局間パスを予約する局間パス予約手段と、前記局間パス予約手段の実施後に、前記発呼要求の内容に含まれる局間パス予約情報に基づいて前記第１の端末と前記第２の端末とを結ぶ通信経路の確保を実施すると共に、前記第２の端末に対して前記局間パス予約番号ハント手段により取り出された局間パス予約番号を直接又は間接的に引き渡す第１の局間パス接続手段を有し、前記第１のＡＴＭスイッチと、前記第２のＡＴＭスイッチは、前記第２の端末を起点とする優先処理すべき所定の業務に基づく発呼要求があった際に、該発呼要求に含まれる局間パス予約番号を使用して前記局間パス予約手段により予約された前記局間パス予約情報を読み出し、前記局間パス予約番号に対応する局間パスが現時点において使用中であるか否かを確認する予約局間パスの状態確認手段と、前記予約局間パスの状態確認手段により、前記局間パス予約番号に対応する局間パスが現時点において使用中であることが確認された場合には、該局間パスを切断する切断処理手段と、前記予約局間パスの状態確認手段及び必要に応じた上記切断処理手段の実施後に、前記発呼要求の内容に含まれる局間パス予約情報に基づいて前記第１の端末と前記第２の端末とを結ぶ通信経路の確保を実施すると共に、前記第１の端末に対して前記発呼要求に含まれる局間パス予約番号を直接又は間接的に引き渡す第２の局間パス接続手段を備えることを特徴とする。
【００１１】
このような構成とすることにより、教育サービス等の優先度の高い業務を遂行するための要求が第１の端末から発呼された際に、該発呼要求に含まれるパス予約情報に基づいて、第１の端末と第２の端末とを結ぶ通信経路に属する局間パスを第１の端末を収容する第１の交換機と第２の端末を収容する第２の交換機それぞれにおいて予約し、該予約が完了してから上記通信経路の接続を完了する。すなわち、該予約は、第１の交換機と第２の交換機それぞれにおいて、互いに独立した資材を使用してなされるので、第１の端末と第２の端末それぞれが、上記発呼要求の処理後に、独立した処理の履歴を持つことができる。また、教育サービス等の優先度の高い業務を遂行するための要求が第１の端末から発呼されない場合には、上記予約はなされないので、すべての局間パスを他の優先処理を必要としない一般教務に回すことができる。
また、第２の端末は、第１の端末に情報を送り返す必要が生じた時点で、上記予約された局間パスを使用することにより、確実に両者間の通信経路を確立することができる。
【００１４】
また、前記第１のＡＴＭスイッチと、前記第２のＡＴＭスイッチは、前記第１又は第２の端末からの優先処理を必要としない一般業務に基づく発呼要求があった際に、局間パス接続帯域に空きが有るか否かを判定する帯域判定手段と、前記帯域判定手段により局間パス接続帯域に空きが有ると判定された場合に、前記発呼要求に対応した通常の局間接続を実施する第３の局間パス接続手段と、前記帯域判定手段により局間パス接続帯域に空きが無いと判定された場合に、前記局間パス予約管理テーブルを検索し、予約されてはいるが未使用の状態にある予約局間パスの有無を確認する予約局間パス検索手段を有するようにしてもよい。
【００１５】
このことにより、第１又は第２の端末から、優先処理を必要としない一般業務に基づく発呼要求があった際に、局間パス接続帯域に空きが無くても、未使用の予約局間パスが有りさえすれば、該未使用の予約局間パスを、上記一般業務が使用することを、一応は許可することができる。
【００１６】
また、前記局間パス予約管理テーブル内のエントリーに格納される局間パス予約情報には、少なくとも、
（１）仮想パス識別子、
（２）仮想チャネル識別子、
（３）予約帯域情報、
（４）予約接続で使用中かを識別するためのフラグ
を含むようにしてもよい。
【００１７】
このことにより、上記局間パスの予約を、より具体的な局間パスと帯域を指定して実施することが可能となり、かつ該予約された局間パスのその後の使用状況を把握することができる。
【００１８】
上記の課題を解決するために、この発明の第２の観点に係る記録媒体は、ＡＴＭネットワーク上の第１のＡＴＭスイッチに収容された第１の端末群に属する第１の端末と、前記ネットワーク上の第２のＡＴＭスイッチに収容された第２の端末群に属する第２の端末とを結ぶ通信のための接続を、局間パスを予約してから実施するコンピュータ読み取り可能なプログラムを記録した記録媒体において、前記第１のＡＴＭスイッチと、前記第２のＡＴＭスイッチの処理に属し、前記第１の端末を起点とする優先処理すべき所定の業務に基づく発呼要求があった際に実行される、局間パス予約番号を管理するための局間パス予約番号管理テーブルを前記発呼要求の内容を使用して検索し、前記局間パス予約番号管理テーブルから空き状態にある局間パス予約番号を取り出す局間パス予約番号ハントステップと、局間パス予約管理テーブル上の前記局間パス予約番号ハントステップにより取り出された局間パス予約番号に対応するエントリーに、前記発呼要求の内容に含まれる局間パス予約情報を格納することで局間パスを予約する局間パス予約ステップと、前記局間パス予約ステップの実施後に、前記発呼要求の内容に含まれる局間パス予約情報に基づいて前記第１の端末と前記第２の端末とを結ぶ通信経路の確保を実施すると共に、前記第２の端末に対して前記局間パス予約番号ハントステップにより取り出された局間パス予約番号を直接又は間接的に引き渡す第１の局間パス接続ステップと、前記第２の端末を起点とする優先処理すべき所定の業務に基づく発呼要求があった際に、該発呼要求に含まれる局間パス予約番号を使用して前記局間パス予約ステップにより予約された前記局間パス予約情報を読み出し、前記局間パス予約番号に対応する局間パスが現時点において使用中であるか否かを確認する予約局間パスの状態確認ステップと、前記予約局間パスの状態確認ステップにより、前記局間パス予約番号に対応する局間パスが現時点において使用中であることが確認された場合には、該局間パスを切断する切断処理ステップと、前記予約局間パスの状態確認ステップ及び必要に応じて実行される上記切断処理ステップの実行後に、前記発呼要求の内容に含まれる局間パス予約情報に基づいて前記第１の端末と前記第２の端末とを結ぶ通信経路の確保を実施すると共に、前記第１の端末に対して前記発呼要求に含まれる局間パス予約番号を直接又は間接的に引き渡す第２の局間パス接続ステップと、を実行するプログラムを記録したことを特徴とする。
【００２０】
また、前記第１のＡＴＭスイッチと、前記第２のＡＴＭスイッチの処理に属し、前記第１又は第２の端末を起点とする優先処理を必要としない一般業務に基づく発呼要求があった際に、局間パス接続帯域に空きが有るか否かを判定する帯域判定ステップと、前記帯域判定ステップにより局間パス接続帯域に空きが有ると判定された場合に、前記発呼要求に対応した通常の局間接続を実施する第３の局間パス接続ステップと、前記帯域判定ステップにより局間パス接続帯域に空きが無いと判定された場合に、前記局間パス予約管理テーブルを検索し、予約されてはいるが未使用の状態にある予約局間パスの有無を確認する予約局間パス検索ステップを有するようにしてもよい。
【００２１】
【発明の実施の形態】
以下、本発明の実施の形態を図面を参照して説明する。
図１は、本発明の実施の形態に係るＡＴＭ交換機システムの全体構成を示す機能ブロック図である。
講演者側のシステム１０ａと受講者側のシステム１０ｂとは、交換動作により選択されたパス４ｂで接続されている。
【００２２】
講演者側のシステム１０ａは、教育サービス実施の発呼要求を発信する講演者端末２ａと、該講演者端末２ａを収容して上記発呼要求により局間パスを確保する交換機１ａとを有する。
【００２３】
受講者側のシステム１０ｂは、交換機１ａからの接続要求により局間パスを完成する交換機１ｂと、該交換機１ｂに収容されて上記接続要求に含まれる情報及び接続後の教育サービス情報を受信する講演者端末２ｂとを有する。
上記の交換機１０ａ，１０ｂそれぞれは、一般の端末まで含めて１個以上の端末を収容することができる。
【００２４】
上記の交換機１ａは、上記発信された発呼要求がサービス要求であるか否かを分析するサービス分析部５ａと、空きの局間パス予約番号を検索して、これを利用可能にする局間パス予約番号管理部６ａと、該検出された局間パス空き番号に対応する局間パスを予約する局間パス予約管理部７ａとを有する。
【００２５】
上記の交換機１ｂは、交換機１ａからの接続要求を分析するサービス分析部５ｂと、上記接続要求内の局間パス予約番号に対応して局間パス予約番号を検索して、これを利用可能にする局間パス予約番号管理部６ｂと、該検出された局間パス空き番号に対応する局間パスを予約する局間パス予約管理部７ｂとを有する。
【００２６】
局間パス予約番号管理部６ａ，６ｂは、それぞれ後述する局間パス予約番号管理テーブル８ａ，８ｂを備え、教育サービス要求がなされた時に上記局間パス予約番号管理テーブルを使用して空き番号を検索する。
【００２７】
局間パス予約管理部７ａ，７ｂは、それぞれ後述する局間パス予約管理テーブル９ａ，９ｂを備え、前記局間パス予約番号にて上記局間パス予約管理テーブルを索引し、パス予約情報を格納し、予約接続要求があった時に、該格納されたパス予約情報を基に局間パスを設定する。
【００２８】
なお、上記の局間パス予約管理テーブル９ａ，９ｂで管理するパス予約情報としては、少なくとも、
（１）仮想パス識別子、すなわち、ＶＰＩ(Virtual Path Identifier)
（２）仮想チャネル識別子、すなわち、ＶＣＩ(Virtual Channel Identifier)、
（３）予約帯域情報、
（４）予約接続で使用中かを識別するためのフラグ、
を含む。
【００２９】
図２は、本発明の実施の形態に係るＡＴＭ交換機システムの動作原理を説明するためのブロック図である。
以下、図１を参照しつつ、本発明の実施の形態に係るＡＴＭ交換機システムの動作原理を説明する。
なお、図２のブロック図においては、図１に示した交換機１ａと１ｂの区別を付けずに共通の単位システムで示し、また、下記の説明中、Ｓ１〜Ｓ８は、図２のブロック図における各信号を識別するための記号を示している。
【００３０】
まず、講演者は、交換機１ａに収容された講演者端末２ａから教育サービスを要求するための発呼要求を行う。交換機１ａのサービス分析部５ａは、受信した要求が教育サービスを要求しているものであるか否かを分析し、受信した要求が教育サービス実施要求であるならば局間パス予約番号管理部６ａに対して、図２に示すように局間パス予約番号ハント要求（Ｓ１）を行う。
【００３１】
これを受けて、局間パス予約番号管理部６ａは、図２に示す局間パス予約番号管理テーブル８上において空き番号検索Ｓ２を実行し、ハント予約番号（Ｓ３）を取り出す。その後、上記局間パス予約番号管理テーブル８上においてハント予約番号（Ｓ３）に対応する番号の「使用・未使用フラグ」を使用中表示に換え、局間パス予約管理部７ａに対し、ハント予約番号（Ｓ３）を含む局間パス予約要求（Ｓ４）を行う。
【００３２】
局間パス予約管理部７ａは、上記のハント予約番号（Ｓ３）を用いて、図２に示す局間予約管理テーブル９を索引し（Ｓ５）、前述のパス予約情報を格納し、局間パス予約結果（Ｓ６）を局間パス予約応答（Ｓ７）とし、これを局間パス予約番号管理部６ａに返す。
【００３３】
局間パス予約番号管理部６ａは、局間パス予約番号ハント応答（Ｓ８）をサービス分析部５ａに返し、これにより、交換機１ａ側の局間パス４ｂのパス予約が完了する。その後交換機１ａは、ポイント−マルチポイントのブロードキャスト接続形態にて交換機１ｂに接続要求を送出する。該接続要求時にはハント局間予約番号も伝達する。
【００３４】
同様に、交換機１ｂ側も交換機１ａからの接続要求内の局間パス予約番号（Ｓ３）にて局間予約番号管理部６ｂを介して局間パス予約管理部７ｂに対して局間パス予約を要求し、局間パス予約を実行し、これにより、交換機１ａと交換機１ｂ間の局間パス接続用のポイント−ポイント接続形態のパス予約が完成する。
また、交換機１ｂに収容された受講者端末２ｂにも上記接続要求を送出して、上記教育サービスが開始される。受講者端末２ｂに対する上記接続要求時には、上記したハント局間予約番号も伝達される。
【００３５】
上記で、実施の形態に係るＡＴＭ交換機システムの動作原理を説明したが、より具体的なケース別の動作シーケンスについては後述する。
【００３６】
図３は、本発明の実施の形態に係る教育サービス用ＡＴＭ交換機システムの交換機１ａ及び交換機１ｂの動作を説明するためのフローチャートである。
以下、図１及び図２を参照しつつ、図３に示すフローチャートを用いて本発明の実施の形態に係るＡＴＭ交換機システムの交換機１ａ及び交換機１ｂの動作を説明する。
【００３７】
先ず、交換機１ａに収容された講演者端末２ａが、交換機１ｂに収容された受講者端末２ｂに対して接続要求を発呼した場合の処理動作を説明する。
ステップＡ１にて、講演者端末２ａからの回線４ａを介した接続要求を交換機１ａが受信すると、ステップＡ２で、上記接続要求が教育サービスであるか否かを判断する。教育サービスではないと判断されると、制御の流れはステップＡ３に移されるが、この場合は教育サービスであるので、ステップＡ８にて、上記接続要求に指定された接続要求端末が講演者端末であるか否かを判断し、この場合は講演者端末であるので、ステップＡ１２にて、上記接続要求に局間予約番号が有るか否かを判断し、局間予約番号が無しである時に限り、ステップＡ１３の局間パス予約番号ハント処理を実行し、次にステップＡ１４の局間パス予約処理を実行した後、ステップＡ１５の予約局間接続処理を実行する。上記の予約局間接続処理の実行時には、上記接続要求に含まれている局間番号又は上記ハント処理の実行によりハントした局間予約番号も同時に交換機１ｂに伝達される。
【００３８】
次に、上記の予約局間接続処理の実行により、交換機１ａからの接続要求を受信した交換機１ｂの処理を説明する。
先ず、ステップＡ１にて、交換機１ａからの回線４ｂを介した接続要求を交換機１ｂが受信すると、ステップＡ２で、上記接続要求が教育サービスであるか否かを判断する。教育サービスではないと判断されると、制御の流れはステップＡ３に移されるが、この場合は教育サービスであるので、ステップＡ８にて、上記接続要求に指定された接続要求端末が講演者端末であるか否かを判断し、この場合は講演者端末であるので、ステップＡ１２にて、局間予約番号有りか否かを判断し、この場合は、講演者収容交換機１ａにて局間予約番号はハントされているので、ステップＡ１４において局間パス予約処理を実行することで交換機１ａと交換機１ｂ間の局間回線４ｂを介したポイント−ポイント接続形態の予約が完了する。その後、ステップＡ１５にて、予約局間接続を行うことで、講演者端末２ａと受講者端末２ｂとが、回線４ｂを介してポイント−ポイント接続形態にて接続される。また、上記の予約局間接続処理の実行時には、受講者端末２ｂには、交換機１ａにてハントされた局間パス予約番号も伝達される。
【００３９】
次に、交換機１ｂに収容された受講者端末２ｂが、交換機１ａに収容された講演者端末２ａに対して接続要求を発呼した場合の処理動作を説明する。
最初に、この時点の状況を補足説明する。上記の予約局間接続を行うことで、講演者端末２ａと受講者端末２ｂとは、回線４ｂを介してポイント−ポイント接続形態にて一旦接続され、講演者端末２ａから受講者端末２ｂへ通信文の送信がなされるが、これに対して受講者側からの応答の必要性が生じて、受講者端末２ｂから講演者端末２ａに対して通信文を送信すべき時には、他業務からの割り込みによって、もはや上記の局間パスは確保されていない可能性がある。以下の動作は、上記の可能性を前提にしている。
【００４０】
ステップＡ１にて、受講者端末２ｂからの回線４ｃを介した接続要求を交換機１ｂが受信すると、ステップＡ２で、上記接続要求が教育サービスであるか否かを判断する。教育サービスではないと判断されると、制御の流れはステップＡ３に移されるが、この場合は教育サービスであるので、ステップＡ８にて、上記接続要求に指定される接続要求端末が講演者端末であるか否かを判断し、この場合は、講演者端末ではなく、受講者端末からの接続要求であるので、ステップＡ９にて、受講者端末からの接続要求に含まれる局間パス予約番号を用いて局間パス情報を読み出し、ステップＡ１０にて、上記の局間パス予約番号に対応する予約局間パスが使用中か否かを判断した後、使用中でなければ、ステップＡ１５にて、予約局間接続を行う。上記の予約局間接続処理の実行時には、上記の局間パス予約番号も同時に交換機１ａに伝達される。
【００４１】
上記の予約局間接続処理の実行により、交換機１ａが、ステップＡ１にて、交換機１ｂからの接続要求を受信すると、ステップＡ２で、上記接続要求が教育サービスであるか否かを判断する。教育サービスではないと判断されると、制御の流れはステップＡ３に移されるが、この場合は教育サービスであるので、ステップＡ８にて、上記接続要求に指定された接続要求端末が講演者端末であるか否かを判断し、この場合は、講演者端末ではなく、受講者端末からの接続要求であるので、ステップＡ９にて、接続要求内の局間パス予約番号にて局間パス情報を読み出し、ステップＡ１０にて、予約パスが使用中か否かを判断した後、使用中でなければ、ステップＡ１５にて、予約局間接続処理を行うことで、受講者端末２ｂと、講演者端末２ａとが、回線４ｂを介してポイント−ポイント接続形態にて接続される。上記の予約局間接続処理の実行時には、上記の局間パス予約番号も同時に端末２ａに伝達される。
【００４２】
また、上記のステップＡ１０における交換機１ａ又は交換機１ｂの予約局間パスの使用中か否かの判断で、使用中の場合は、ステップＡ１１にて、使用中の局間パスの切断処理を実行した後で、ステップＡ１５の予約局間接続を行う。
次に、上記のステップＡ２で、交換機１ａ又は交換機１ｂの受信要求が教育サービスではないと判断された場合、すなわち、通常の他業務からの受信要求に対する処理動作を説明する。
【００４３】
先ず、ステップＡ３にて、局間パス接続帯域の空きを判断し、空きがあれば、ステップＡ４にて、通常局間接続を行うが、局間パス接続帯域の空きがない場合には、ステップＡ５にて、通常局間接続にて予約パス使用のために局間パス予約管理テーブルを検索した後、ステップＡ６で、未使用予約帯域があるか否かを判断し、未使用予約帯域があれば、ステップＡ１５にて、上記検索された局間パス予約情報を用いて予約局間接続を行うことで、予約パスが未使用でありさえすれば、通常の他業務からの受信要求に対応した接続を実施する。但し、上記したステップＡ６の判断で、上記未使用予約帯域が無い場合には、ステップＡ7 にて、局間パスの切断処理を行う。
【００４４】
なお、上記のステップＡ１５において、通常の他業務からの受信要求に対応した接続がなされたとしても、その後の、前述のステップＡ１０において予約局間パスの使用中か否かが判断され、使用中の場合は、ステップＡ１１にて、使用中の局間パスの切断処理が実行されるので、上記の他業務への局間パス使用の許可は、上記の事柄を前提にしてなされる一応の許可である。
【００４５】
なお、上記の図３のフローチャートで示したプログラムなど、処理装置に上記の処理を行わせるためのプログラムは、ＣＤ−ＲＯＭなどのコンピュータ読み取り可能な記録媒体に格納して配付してもよい。そして、汎用コンピュータがこの記録媒体から上記プログラムを読み出して、実行するものとしてもよい。
【００４６】
以下、具体例をもって詳しく説明する。
（第１の具体例）
図４は、本発明に係るＡＴＭ交換機システムの第１の具体例を示し、講演者側からの教育サービス開始時の動作シーケンスを説明するためのシーケンス図である。
【００４７】
交換機１ｃに収容された講演者端末２ｂからのポイント−マルチポイントのブロードキャスト接続形態の教育サービス開始の接続要求（ａ）を交換機１ａが受信すると局間パス予約番号管理テーブル８ａより予約番号をハント（ｂ）し、該ハントされた予約番号を使用して局間パス予約管理テーブル９ａを索引し、局間パス情報をポイント−ポイントの接続形態として格納（ｃ）した後、交換機１ｂに対し、局間予約接続要求（ｄ）を行う。上記の交換機１ｃに対する局間予約接続要求（ｄ）には、上記ハントした予約番号も含んでいる。
【００４８】
交換機１ｃからの局間予約接続要求（ｄ）を受信した交換機１ｂは、上記予約番号を使用して局間パス予約管理テーブル９ｂを索引し、局間パス情報をポイント−ポイントの接続形態として格納した後、受講者端末２ｂに対して接続要求（ｆ）を送出することで、講演者端末２ａと受講者端末２ｂ間のポイント−マルチポイントのブロードキャスト接続形態の通信中（Ｙ）で示す教育サービスが開始され、交換機１ａと交換機１ｂ間のポイント−ポイント接続形態のパスも予約状態となる。
【００４９】
（第２の具体例）
図５は、本発明に係るＡＴＭ交換機システムの第２の具体例を示し、受講者からの講演者方向への局間パス接続時の動作シーケンスを説明するためのシーケンス図である。
【００５０】
交換機１ｂに収容された受講者端末２ｂから交換機１ａに収容された講演者端末２ａに対しての接続要求（ｇ）を交換機１ｂが受信すると、受講者端末２ｂからの接続要求（ｇ）内の局間予約番号を使用して局間パス予約管理テーブル９ｂを索引して局間パス情報を読み出し（ｈ）、交換機１ａに対し、接続要求（ｉ）を送出する。
【００５１】
交換機１ａは交換機１ｂからの接続要求（ｉ）を受信すると、接続要求（ｉ）内の局間パス予約番号を使用して局間パス予約管理テーブル９ａを索引し、局間パス情報を読み出し（ｊ）、着信を許容し、講演者端末２ａに対して接続要求（ｋ）を送出することにより、交換機１ｂ収容受講者端末２ｂと交換機１ａ収容講演者２ａ間のポイント−ポイント接続形態の接続が完了し、通信中（Ｚ）で示す教育サービスが開始される。また、受講者端末２ｂに対しては、局間パス予約番号を接続要求時に伝送する。
【００５２】
（第３の具体例）
図６は、本発明に係るＡＴＭ交換機システムの第３の具体例を示し、受講者からの接続要求時に局間予約パスが他業務による接続で使用中状態である場合の動作シーケンスを説明するためのシーケンス図である。
【００５３】
交換機１ｂは、交換機１ａに収容された一般端末Ａと交換機１ｂに収容された一般端末Ｂとが通信中（Ｃ）状態である場合に、交換機１ｂに収容された受講者端末２ｂからの接続要求（ｌ）を受信すると、接続要求（ｌ）内の局間予約番号を使用して局間パス予約管理テーブル９ｂを索引する（ｍ）。この場合は、予約パスが他接続で使用中なので、交換機１ｂに収容された一般端末Ｂに対しては切断指示（ｏ）、交換機１ａに収容された一般端末Ａに対しては切断指示（ｎ，ｐ）をそれぞれ送出し、一般端末Ｂからの切断指示応答（ｒ）及び一般端末Ａからの切断指示応答（ｑ）を受信した後、交換機１ａに対して接続要求（ｓ）を送出する。
【００５４】
交換機１ａは、交換機１ｂからの接続要求（ｓ）を受信すると、接続要求（ｓ）内の局間パス予約番号を使用して局間パス予約管理テーブル９ａを索引し、局間パス情報を読み出し（ｔ）、着信を許容し、講演者端末２ａに対して接続要求（ｕ）を送出することにより、交換機１ｂに収容された受講者端末２ｂと交換機１ａに収容された講演者端末２ａ間のポイント−ポイント接続形態の接続が完了し、通信中（Ｚ）で示す教育サービスが開始される。
【００５５】
なお、上記実施の形態に依れば、教育サービスを実施しない時には、上記予約局間パスの予約申請はなされないので、すべての局間パスは教育サービスから完全に開放され、その結果、教育サービス以外の他の一般の業務は、本発明に係るＡＴＭ交換機システムを通常のＡＴＭ交換機システムとして使用することができる。
【００５６】
【発明の効果】
以上に説明したとおり、本発明に係るＡＴＭ交換機システムに依れば、優先度の高い業務、例えば、教育サービスの実施時に、局間パス番号を用いて局間パスを予約することにより、受講者と講演者間のポイント−ポイントの局間パスの接続を確実に実施することができる。
また、局間パス予約管理テーブルを用いて局間パスの使用状況を管理することにより、受講者と講演者間の予約局間パスが未使用の場合には、上記予約局間パスを、一応は他業務の通信に用いることを許可することができる。
さらに、教育サービスを実施しない時には上記予約局間パスの予約申請はなされず、すべての局間パスは教育サービスから完全に開放されるので、教育サービス以外の他の一般の業務は、本発明に係るＡＴＭ交換機システムを通常のＡＴＭ交換機システムとして使用することができる。
【図面の簡単な説明】
【図１】本発明の実施の形態に係るＡＴＭ交換機システムの全体構成を示す機能ブロック図である。
【図２】本発明の実施の形態に係るＡＴＭ交換機システムの動作原理を説明するためのフローチャートである。
【図３】本発明の実施の形態に係る教育サービス用ＡＴＭ交換機システムの交換機１ａ及び交換機１ｂの動作を説明するためのフローチャートである。
【図４】本発明に係るＡＴＭ交換機システムの第１の具体例を示し、講演者側からの教育サービス開始時の動作シーケンスを説明するためのシーケンス図である。
【図５】本発明に係るＡＴＭ交換機システムの第２の具体例を示し、受講者からの講演者方向への局間パス接続時の動作シーケンスを説明するためのシーケンス図である。
【図６】本発明に係るＡＴＭ交換機システムの第３の具体例を示し、受講者からの接続要求時に局間予約パスが他業務による接続で使用中状態である場合の動作シーケンスを説明するためのシーケンス図である。
【符号の説明】
１ａ，１ｂ    交換機
２ａ    講演者端末
２ｂ    受講者端末
４ａ〜４ｃ    回線
５ａ，５ｂ    サービス分析部
６ａ，６ｂ    局間パス予約番号管理部
７ａ，７ｂ    局間パス予約管理部
８，８ａ，８ｂ    局間パス予約番号管理テーブル
９，９ａ，９ｂ    局間パス予約管理テーブル
【図１】
0003735475.tif 000002
【図２】
0003735475.tif 000003
【図３】
0003735475.tif 000004
【図４】
0003735475.tif 000005
【図５】
0003735475.tif 000006
【図６】
0003735475.tif 000007